(57)【要約】【課題】使用に際する経済的負担を軽減できるとともに、電力不足の解消を促進でき、さらに人や動物に対する光害を軽減することが可能な表示パネルを提供する。【解決手段】畜光顔料を含んだ樹脂部材にてシート状に形成され、紫外線領域の光を照射することにより燐光を発する蓄光シート１０と、蓄光シート１０の一面１０ａ側に積層され、所定の表示内容を有する表示シート２０と、表示シート２０の一面２０ａ側に積層され、透明部材にて構成されるパネル３０と、蓄光シート１０の他面１０ｂ側に積層され、蓄光シート１０および表示シート２０を被覆するとともにパネル３０に貼着される貼着樹脂シート４０とを備え、表示シート２０の前記表示内容がパネル３０を介して視認可能である。【選択図】図２
0003219047.tif 000002
【実用新案登録請求の範囲】
【請求項１】
畜光顔料を含んだ樹脂部材にてシート状に形成され、紫外線領域の光を照射することにより燐光を発する蓄光シートと、
前記蓄光シートの一面側に積層され、所定の表示内容を有する表示シートと、
前記表示シートの一面側に積層され、透明部材にて構成されるパネルと、
前記蓄光シートの他面側に積層され、前記蓄光シートおよび前記表示シートを被覆するとともに前記パネルに貼着される貼着樹脂シートとを備え、
前記表示シートの前記表示内容が前記パネルを介して視認可能である、
ことを特徴とする表示パネル。
【請求項２】
前記蓄光シートおよび前記表示シートの外周縁部は、前記パネルの外周縁部よりも内周側に位置しており、前記貼着樹脂シートは、前記蓄光シートおよび前記表示シートの他面側、ならびに前記蓄光シートおよび前記表示シートの外周縁部を被覆している、
ことを特徴とする請求項１に記載の表示パネル。
【請求項３】
前記パネルにおける一面側の外周部は、
内周側から外周側へ向かうにつれて前記透明部材の厚みが薄くなるテーパ面に形成されている、
ことを特徴とする請求項１または請求項２に記載の表示パネル。
【請求項４】
畜光顔料を含んだ樹脂部材にてシート状に形成され、紫外線領域の光を照射することにより燐光を発する蓄光シートと、
前記蓄光シートの一面側に積層され、所定の第１表示内容を有する第１表示シートと、
前記第１表示シートの一面側に積層され、透明部材にて構成される第１パネルと、
前記蓄光シートの他面側に積層され、所定の第２表示内容を有する第２表示シートと、
前記第２表示シートの他面側に積層され、透明部材にて構成される第２パネルとを備え、
前記第１表示シートの前記第１表示内容が前記第１パネルを介して視認可能であり、前記第２表示シートの前記第２表示内容が前記第２パネルを介して視認可能である、
ことを特徴とする表示パネル。
【請求項５】
前記第１パネルにおける一面側の外周部、および前記第２パネルにおける他面側の外周部の少なくとも一方は、内周側から外周側へ向かうにつれて前記透明部材の厚みが薄くなるテーパ面に形成されている、
ことを特徴とする請求項４に記載の表示パネル。
【請求項６】
前記蓄光シートは、外周部に配置される外周領域と、前記外周領域よりも内周側に配置される内周領域とを有し、
前記外周領域と前記内周領域とは、互いに異なる燐光輝度を有する、
ことを特徴とする請求項１〜請求項５の何れか一項に記載の表示パネル。
【考案の詳細な説明】
【技術分野】
【０００１】
本考案は、所定の表示内容を表示する表示パネルに関する。
【背景技術】
【０００２】
従来から、所定の表示内容を有する表示媒体を、表面側または背面側などから電力により発光する光源によって照らすことで、前記表示内容を表示する看板装置などの表示装置が知られている。例えば、特許文献１には、表示媒体を背面側からＬＥＤ光源によって照らすことで、表示内容を表示する看板装置が開示されている。
【０００３】
このように、表示媒体を電力により発光する光源によって照らすことにより、特に夜間において表示装置の表示内容を容易に認識することが可能となっている。
【先行技術文献】
【特許文献】
【０００４】
【特許文献１】特許第６０６７９１８号公報
【考案の概要】
【考案が解決しようとする課題】
【０００５】
しかし、前述のように、表示媒体を照らすための光源として電力により発光する光源を用いた場合、表示装置に設置する光源の費用、および光源が消費する電力の費用といった経済的負担が大きいとともに、夜間における電力使用量が多くなって社会的な電力不足の一因となる。また、電力により発光する光源に照らされた表示媒体は明るくなりすぎるため、人や動物に対するストレス性病害、ならびに植物の成長遅延および品質劣化などといった光害が促進されるおそれがある。
【０００６】
そこで、本考案においては、使用に際する経済的負担を軽減できるとともに、電力不足の解消を促進でき、さらに人や動物に対する光害を軽減することが可能な表示パネルを提供するものである。
【課題を解決するための手段】
【０００７】
上記課題を解決する表示パネルは、以下の特徴を有する。
即ち、本考案に係る表示パネルは、畜光顔料を含んだ樹脂部材にてシート状に形成され、紫外線領域の光を照射することにより燐光を発する蓄光シートと、前記蓄光シートの一面側に積層され、所定の表示内容を有する表示シートと、前記表示シートの一面側に積層され、透明部材にて構成されるパネルと、前記蓄光シートの他面側に積層され、前記蓄光シートおよび前記表示シートを被覆するとともに前記パネルに貼着される貼着樹脂シートとを備え、前記表示シートの前記表示内容が前記パネルを介して視認可能である。
これにより、表示パネルを、電力を用いることなく自然に発光させることができるため、使用に際する経済的負担を軽減できるとともに、電力不足の解消を促進することが可能である。また、表示パネルが発する燐光はぼんやりとした明る過ぎない光であるため、人や動物に対する光害を軽減することが可能である。
【０００８】
また、前記蓄光シートおよび前記表示シートの外周縁部は、前記パネルの外周縁部よりも内周側に位置しており、前記貼着樹脂シートは、前記蓄光シートおよび前記表示シートの他面側、ならびに前記蓄光シートおよび前記表示シートの外周縁部を被覆している。
これにより、貼着樹脂シートとパネルとの間の空間内に水分が浸入することを抑制でき、蓄光シートおよび表示シートの劣化が抑制されるため、表示シートの表示内容を長期間にわたって幻想的に表示することが可能である。
【０００９】
また、前記パネルにおける一面側の外周部は、内周側から外周側へ向かうにつれて前記透明部材の厚みが薄くなるテーパ面に形成されている。
これにより、パネルの領域に応じて表示シートにおける表示内容の見え方を変化させることができ、表示パネルの魅力を高めることが可能である。
【００１０】
また、表示パネルは、畜光顔料を含んだ樹脂部材にてシート状に形成され、紫外線領域の光を照射することにより燐光を発する蓄光シートと、前記蓄光シートの一面側に積層され、所定の第１表示内容を有する第１表示シートと、前記第１表示シートの一面側に積層され、透明部材にて構成される第１パネルと、前記蓄光シートの他面側に積層され、所定の第２表示内容を有する第２表示シートと、前記第２表示シートの他面側に積層され、透明部材にて構成される第２パネルとを備え、前記第１表示シートの前記第１表示内容が前記第１パネルを介して視認可能であり、前記第２表示シートの前記第２表示内容が前記第２パネルを介して視認可能である。
これにより、表示パネルにおいては、第１パネル側および第２パネル側の両側から、それぞれ第１表示シートの表示内容および第２表示シートの表示内容を視認することができ、表示内容を広範囲にわたって認識することができる。
【００１１】
また、前記第１パネルにおける一面側の外周部、および前記第２パネルにおける他面側の外周部の少なくとも一方は、内周側から外周側へ向かうにつれて前記透明部材の厚みが薄くなるテーパ面に形成されている。
これにより、テーパ面を形成した第１パネルおよび第２パネルを介して視認した表示内容の見え方を、第１パネルおよび第２パネルの領域に応じて変化させることができ、表示パネルの魅力を高めることが可能である。
【００１２】
また、前記蓄光シートは、外周部に配置される外周領域と、前記外周領域よりも内周側に配置される内周領域とを有し、前記外周領域と前記内周領域とは、互いに異なる燐光輝度を有する。
これにより、表示パネルの表示内容を、領域に応じてメリハリをつけた状態でより魅力的に表示することが可能となる。
【考案の効果】
【００１３】
本考案によれば、表示パネルを、電力を用いることなく自然に発光させることができるため、使用に際する経済的負担を軽減できるとともに、電力不足の解消を促進することが可能である。また、表示パネルが発する燐光はぼんやりとした明る過ぎない光であるため、人や動物に対する光害を軽減することが可能である。
【図面の簡単な説明】
【００１４】
【図１】第１実施形態にかかる表示パネルを示す斜視図である。
【図２】第１実施形態にかかる表示パネルを示す分解斜視図である。
【図３】第１実施形態にかかる表示パネルの製造手順を示す側面断面図である。
【図４】第２実施形態にかかる表示パネルを示す斜視図である。
【図５】第２実施形態にかかる表示パネルを示す分解斜視図である。
【図６】第３実施形態にかかる表示パネルを示す斜視図である。
【図７】第３実施形態にかかる表示パネルを示す分解斜視図である。
【図８】パネルの一面側に樹脂層を形成した状態の第３実施形態にかかる表示パネルを示す斜視図である。
【図９】第４実施形態にかかる表示パネルを示す斜視図である。
【図１０】第４実施形態にかかる表示パネルを示す側面断面図である。
【図１１】第４実施形態にかかる表示パネルを示す分解斜視図である。
【考案を実施するための形態】
【００１５】
次に、本考案を実施するための形態を、添付の図面を用いて説明する。
【００１６】
[表示パネルの第１実施形態]
図１、図２に示す表示パネル１は、本考案に係る表示パネルの一実施形態であり、所定の表示内容を表示する表示装置である。
表示パネル１は、蓄光シート１０と、表示シート２０と、パネル３０と、貼着樹脂シート４０とを備えている。
【００１７】
蓄光シート１０は、畜光顔料を含んだ樹脂部材にてシート状に形成され、紫外線領域の光を照射することにより燐光を発するシートである。蓄光シート１０は、一面１０ａ、および一面１０ａとは反対側の他面１０ｂを有している。
【００１８】
蓄光シート１０に含まれる蓄光顔料は、例えば希土類元素を含む燐光蛍光体により構成されており、太陽光や蛍光灯に含まれる紫外線領域の光が照射されると励起状態となり、励起状態から基底状態へ戻るときにエネルギーを徐々に放出する。このエネルギーの放出が光として外部へ出ることで発光する。
従って、蓄光シート１０が発する燐光は、蓄光シート１０に対する光の照射が行われなくなった後も発光が持続される光となっている。
【００１９】
蓄光シート１０は、ＪＩＳＺ９１０７に定められているように、光源蛍光ランプＤ６５を用いて蓄光シート１０に励起光を２００ｌｘで２０分間照射した場合、励起光の照射が終了した２０分後において１００ｍｃｄ／ｍ２以上の燐光輝度を有する高輝度蓄光材である。本実施形態における蓄光シート１０は、全体的に均一な燐光輝度を有している。
蓄光シート１０は可撓性を有しており、凹凸面や曲面などに沿って柔軟に撓ませることが可能であり、平面のみならず凹凸面や曲面などにも密着させることが可能となっている。
【００２０】
表示シート２０は、蓄光シート１０の一面１０ａ側に積層され、所定の表示内容を有している。表示シート２０は、一面２０ａ、および一面２０ａとは反対側の他面２０ｂを有している。表示シート２０の他面２０ｂは蓄光シート１０の一面１０ａと対向しており、表示シート２０の他面２０ｂと蓄光シート１０の一面１０ａとは接着されている。
【００２１】
表示シート２０が有する所定の表示内容は、所定の絵柄、図柄、紋様、文字、記号等を含んでいる。表示シート２０は、光が透過可能な透過性素材である布生地や和紙等、または光が透過しない不透過性素材である型紙や切り絵等にて構成することができる。
【００２２】
表示シート２０が布生地や和紙等の透過性素材にて構成されている場合、蓄光シート１０から発光した光は表示シート２０を通じてパネル３０側へ透過する。表示シート２０が型紙や切り絵等の不透過性素材にて構成されている場合、表示シート２０は不透過性素材を所定の形状に切り抜くことで形成されており、蓄光シート１０から発光した光が透過する部分と透過しない部分とを有している。
【００２３】
パネル３０は、表示シート２０の一面２０ａ側に積層され、透明部材にて構成される板状部材である。パネル３０は、一面３０ａ、および一面３０ａとは反対側の他面３０ｂを有している。パネル３０の他面３０ｂには、表示シート２０の一面２０ａが密着している。
パネル３０の一面３０ａおよび他面３０ｂは、全体的に平坦面に形成されている。パネル３０は、例えばガラス板にて構成されている。
【００２４】
パネル３０は、透明部材にて構成されているが、完全な透明である必要ではなく、光が透過可能であれば、半透明であったり、着色がなされていたりしてもよい。つまり、パネル３０を構成する透明部材は、完全な透明部材のみならず、光が透過可能な半透明部材および着色部材をも含むものである。
【００２５】
蓄光シート１０および表示シート２０は、蓄光シート１０および表示シート２０の外周縁部がパネル３０の外周縁部よりも内周側に位置する形状に形成されている。
つまり、蓄光シート１０および表示シート２０の外形形状は、パネル３０の外形形状よりも若干小さく形成されている。
【００２６】
貼着樹脂シート４０は、蓄光シート１０の他面１０ｂ側に積層され、蓄光シート１０および表示シート２０を被覆するとともに、パネル３０に貼着されるシート状の樹脂部材である。貼着樹脂シート４０がパネル３０に貼着されることにより、貼着樹脂シート４０とパネル３０との間に介在する蓄光シート１０および表示シート２０がパネル３０に貼着されている。貼着樹脂シート４０は、一面４０ａ、および一面４０ａとは反対側の他面４０ｂを有している。貼着樹脂シート４０の一面４０ａは、蓄光シート１０の他面１０ｂに密着している。
【００２７】
このように構成される表示パネル１においては、表示シート２０が有する所定の表示内容を、透明部材にて構成されるパネル３０の一面３０ａ側から視認することができる。
この場合、発光する蓄光シート１０は面光源として作用し、蓄光シート１０からの光が表示シート２０を他面２０ｂ側から照らし、表示シート２０が有する所定の表示内容が幻想的に浮かび上がることとなる。これにより、視認される表示内容に趣きを付加することができる。
【００２８】
また、表示パネル１の蓄光シート１０は、紫外線領域の光が照射されることにより、電力を用いることなく自然に発光することができるため、使用に際する経済的負担を軽減できるとともに、電力不足の解消を促進することが可能となっている。
さらに、表示パネル１の蓄光シート１０が発する燐光は、ぼんやりとした明る過ぎない光であるため、人や動物に対する光害を軽減することが可能である。
【００２９】
表示パネル１は、次のようにして製造することができる。
図３（ａ）に示すように、蓄光シート１０は一面１０ａ側に接着材にて形成される接着層１１を有しており、接着層１１により蓄光シート１０の一面１０ａに表示シート２０の他面２０ｂを接着する。
【００３０】
図３（ｂ）に示すように、互いに接着された蓄光シート１０および表示シート２０をパネル３０の他面３０ｂ側に配置するとともに、蓄光シート１０の他面１０ｂ側に貼着樹脂シート４０を配置する。さらに、蓄光シート１０および表示シート２０が貼着樹脂シート４０とパネル３０との間に介在した状態で、貼着樹脂シート４０をパネル３０に対して加熱圧着した後、冷却することにより、表示パネル１が製造される。
【００３１】
貼着樹脂シート４０のパネル３０に対する加熱圧着は、例えば高温真空装置を用いて行うことが可能である。
貼着樹脂シート４０をパネル３０に対して加熱圧着することで、貼着樹脂シート４０が軟化し、図３（ｃ）に示すように、蓄光シート１０および表示シート２０がパネル３０に対して貼着される。
【００３２】
貼着樹脂シート４０をパネル３０に対して加熱圧着する際、表示シート２０は蓄光シート１０に接着されているため、表示シート２０が布生地等の柔らかい素材で構成されていたとしても、表示シート２０を容易にパネル３０に対して密着させることが可能となっている。
【００３３】
また、表示シート２０の一面２０ａはパネル３０の他面３０ｂに密着しており、蓄光シート１０の他面１０ｂと貼着樹脂シート４０の一面４０ａとは密着している。
【００３４】
このように、表示パネル１は、蓄光シート１０の一面１０ａ側に表示シート２０の他面２０ｂを接着する工程と、互いに接着された蓄光シート１０および表示シート２０をパネル３０の他面３０ｂ側に配置するとともに、蓄光シート１０の他面１０ｂ側に貼着樹脂シート４０を配置する工程と、蓄光シート１０および表示シート２０が貼着樹脂シート４０とパネル３０との間に介在した状態で、貼着樹脂シート４０をパネル３０に対して加熱圧着する工程と、加熱圧着した貼着樹脂シート４０およびパネル３０を冷却する工程とを行うことにより製造することができる。
これにより、表示シート２０が有する所定の表示内容を幻想的に浮かび上がらせ、視認される表示内容に趣きを付加することができる表示パネル１を製造することができる。
【００３５】
ここで、貼着樹脂シート４０の外形形状はパネル３０の外形形状と略同じに形成され、蓄光シート１０および表示シート２０の外周縁部は、パネル３０の外周縁部よりも内周側に位置している。従って、貼着樹脂シート４０をパネル３０に対して加熱圧着することにより、蓄光シート１０および表示シート２０の他面１０ａ、２０ａ側、ならびに蓄光シート１０および表示シート２０の外周縁部が貼着樹脂シート４０によって被覆されることとなる。貼着樹脂シート４０の他面４０ｂ側の表面形状は、例えばエンボス状に形成されている。
【００３６】
貼着樹脂シート４０の外周縁部はパネル３０の他面３０ｂに接着されており、蓄光シート１０および表示シート２０が配置される貼着樹脂シート４０とパネル３０との間の空間は密封されている。
従って、貼着樹脂シート４０とパネル３０との間の空間内は防水処理された状態となっており、前記空間内に水分が浸入することが抑制される。これにより、例えば表示パネル１を屋外に設置した場合でも、蓄光シート１０および表示シート２０が風雨に晒されることがなく、蓄光シート１０および表示シート２０の劣化が抑制され、表示シート２０の表示内容を長期間にわたって幻想的に表示することが可能となる。
【００３７】
また、表示パネル１は、屋内外および昼夜を問わず設置することができ、単なる情報を表示する表示装置として用いるだけでなく、表示シート２０の絵柄、図柄、紋様等を生かした表示内容を芸術的に表示したアート作品として構成することも可能である。このように、表示パネル１においてはアート的な表示内容を表示することが可能であり、表示パネル１を話題性、集客性に優れた表示装置として構成することが可能である。
【００３８】
なお、本実施形態においては、パネル３０をガラスにて形成しているが、貼着樹脂シート４０をパネル３０に加熱圧着する際の熱によって軟化・変形しないような耐熱性を有する部材であれば、透明な樹脂部材等によってパネル３０を形成することも可能である。
【００３９】
[表示パネルの第２実施形態]
また、表示パネルは、次のように構成することもできる。
図４、図５に示す表示パネル１０１は、表示パネル１における蓄光シート１０の代わりに蓄光シート１１０を有している点で、表示パネル１と異なってる。
その他の点においては、表示パネル１０１は表示パネル１と同様の構成であるため説明を省略する。
【００４０】
蓄光シート１１０は、外周部に配置される外周領域１１０Ｂと、外周領域１１０Ｂよりも内周側に配置される内周領域１１０Ａとを有している。外周領域１１０Ｂは、内周領域１１０Ａの外周部における全周にわたって配置されている。
外周領域１１０Ｂと内周領域１１０Ａとでは、光が照射されることにより発光する際の燐光輝度が異なっている。本実施形態においては、外周領域１１０Ｂは、内周領域１１０Ａよりも大きな燐光輝度を有している。つまり、外周領域１１０Ｂは内周領域１１０Ａよりも明るく発光するように構成されている。
【００４１】
このように、蓄光シート１１０は、互いに異なる燐光輝度を有する外周領域１１０Ｂと内周領域１１０Ａとを有しているため、蓄光シート１１０により照らされる表示シート２０の外周部と内周部とで明暗が構成されることとなる。
従って、表示シート２０が蓄光シート１１０によって照らされた場合に、表示シート２０における表示内容が領域に応じてメリハリをつけた状態で表示されることとなり、表示シート２０を全体的に均一な燐光輝度で照らした場合よりも変化に富んだ表示内容とすることができる。これにより、表示パネル１０１における表示シート２０の表示内容をより魅力的に表示することが可能となる。
【００４２】
蓄光シート１１０は、例えば、同一のシート材の面内に、高い燐光輝度を有する蓄光材が含有される領域と、低い燐光輝度を有する蓄光材が含有される領域とを形成することにより構成することができる。また、蓄光シート１１０は、高い燐光輝度を有する蓄光材を含有した高輝度シート材を、低い燐光輝度を有する蓄光材を含有した低輝度シート材の外周部に配置することにより構成することができる。さらに、蓄光シート１１０は、低い燐光輝度を有する蓄光材を含有した低輝度シート材を、高い燐光輝度を有する蓄光材を含有した高輝度シート材よりも小さなサイズに形成し、低輝度シート材を高輝度シート材の中央部に積層することで構成することもできる。
【００４３】
なお、本実施形態の蓄光シート１１０においては、外周領域１１０Ｂが内周領域１１０Ａよりも大きな燐光輝度を有するように構成されているが、内周領域１１０Ａが外周領域１１０Ｂよりも大きな燐光輝度を有するように構成することも可能である。
【００４４】
[表示パネルの第３実施形態]
また、表示パネルは、次のように構成することもできる。
図６、図７に示す表示パネル２０１は、表示パネル１０１におけるパネル３０の代わりにパネル１３０を有している点で、表示パネル１０１と異なってる。
その他の点においては、表示パネル２０１は表示パネル１０１と同様の構成であるため説明を省略する。
【００４５】
パネル１３０は、パネル３０と同様に、一面１３０ａ、および一面１３０ａとは反対側の他面１３０ｂを有している。
パネル１３０は、一面１３０ａ側の外周部にテーパ面を有している。つまり、パネル１３０の一面１３０ａは、中央部に配置される平坦部１３０Ａと、平坦部１３０Ａの外周部に配置されるテーパ部１３０Ｂとを有している、平坦部１３０Ａは、全体的に平坦面に形成されている。
【００４６】
テーパ部１３０Ｂは、平坦部１３０Ａに連続して形成されており、内周側から外周側へ向かうにつれてパネル１３０を構成する透明部材の厚みが薄くなるように傾斜したテーパ面に形成されている。テーパ部１３０Ｂのテーパ面は、平坦部１３０Ａの平坦面に対して、内周側から外周側へ向かうにつれてパネル１３０の他面１３０ｂに近づく方向へ傾斜する傾斜面である。
テーパ部１３０Ｂは、一面１３０ａにおける外周部の全周にわたって形成されている。
【００４７】
パネル１３０の一面１３０ａ側から表示パネル２０１の外部へ拡散する蓄光シート１１０からの光を看者が見る場合、平坦部１３０Ａを通じて拡散する光と、テーパ部１３０Ｂを通じて拡散する光とでは、拡散する方向や屈折度合が異なる。
従って、表示パネル２０１の看者が表示パネル２０１を看た場合に、平坦部１３０Ａとテーパ部１３０Ｂとで表示シート２０における表示内容の見え方に変化が生じることとなる。
【００４８】
このように、パネル１３０の一面１３０ａが平坦部１３０Ａとテーパ部１３０Ｂとを有することにより、パネル１３０の領域に応じて表示シート２０における表示内容の見え方を変化させることができ、表示パネル２０１の魅力を高めることが可能となる。
【００４９】
また、表示パネル２０１においては、パネル１３０のテーパ部１３０Ｂが形成される領域の位置を、蓄光シート１１０における外周領域１１０Ｂの位置と合わせることで、平坦部１３０Ａとテーパ部１３０Ｂとにおける表示内容の見え方に、よりメリハリを付けることができ、表示内容をより魅力的に表示することが可能となる。
【００５０】
なお、本実施形態の表示パネル２０１においては、蓄光シートとして外周領域１１０Ｂと内周領域１１０Ａとを有する蓄光シート１１０を用いたが、全体的に均一な燐光輝度を有する蓄光シート１０を、テーパ部１３０Ｂを有するパネル１３０とともに用いて表示パネルを構成することも可能である。
【００５１】
また、図８に示すように、表示パネル２０１においては、パネル１３０の一面１３０ａ側に樹脂層５０を形成することができる。樹脂層５０は、樹脂層５０上にコップ等の物体を接触させた際に当該物体との間に高い摩擦力が生じる樹脂部材にて構成することができる。樹脂層５０は、例えば貼着樹脂シート４０を構成する樹脂部材と同じ樹脂部材にて構成することができる。
このように、パネル１３０の一面１３０ａ側に樹脂層５０を形成した表示パネル２０１を、コップ等の食器の下に敷くコースターとして用いた場合、食器を樹脂層５０の上に載せることで、食器が濡れていたとしても食器が滑ることを抑制できる。
【００５２】
[表示パネルの第４実施形態]
また、表示パネルは、次のように構成することもできる。
図９〜図１１に示す表示パネル３０１は、蓄光シート３１０と、第１表示シート３２１と、第１パネル３３１と、第２表示シート３２２と、第２パネル３３２とを備えている。
【００５３】
蓄光シート３１０は、畜光顔料を含んだ樹脂部材にてシート状に形成され、紫外線領域の光を照射することにより燐光を発するシートである。蓄光シート３１０は、一面３１０ａ、および一面３１０ａとは反対側の他面３１０ｂを有している。
蓄光シート３１０に含まれる蓄光顔料は、蓄光シート１０に含まれる蓄光顔料と同様に構成されており、蓄光シート３１０は蓄光シート１０と同様に高輝度蓄光材に構成されている。本実施形態の蓄光シート３１０は、全体的に均一な燐光輝度を有している。
【００５４】
蓄光シート３１０は、一面３１０ａから他面３１０ｂにかけて貫通する複数の充填孔３１３を有している。
蓄光シート３１０は、一面３１０ａ側に接着材にて形成される接着層３１１を有しており、他面３１０ｂ側に接着材にて形成される接着層３１２を有している（図１０参照）。
【００５５】
第１表示シート３２１は、蓄光シート３１０の一面３１０ａ側に積層され、所定の表示内容を有している。第１表示シート３２１は、表示シート２０と同様に構成されている。
第１表示シート３２１は、一面３２１ａ、および一面３２１ａとは反対側の他面３２１ｂを有している。第１表示シート３２１の他面３２１ｂは蓄光シート３１０の一面３１０ａと対向しており、第１表示シート３２１の他面３２１ｂと蓄光シート３１０の一面３１０ａとが接着層３１１により接着されている。
【００５６】
第１パネル３３１は、第１表示シート３２１の一面３２１ａ側に積層され、透明部材にて構成される板状部材である。第１パネル３３１は、一面３３１ａ、および一面３３１ａとは反対側の他面３３１ｂを有している。第１パネル３３１の他面３３１ｂには、第１表示シート３２１の一面３２１ａが密着している。第１パネル３３１の一面３３１ａおよび他面３３１ｂは、全体的に平坦面に形成されている。第１パネル３３１は、例えばアクリル樹脂等の透明な樹脂部材にて構成されている。
【００５７】
第１パネル３３１は、透明部材にて構成されているが、完全な透明である必要ではなく、光が透過可能であれば、半透明であったり、着色がなされていたりしてもよい。つまり、第１パネル３３１を構成する透明部材は、完全な透明部材のみならず、光が透過可能な半透明部材および着色部材をも含むものである。
【００５８】
第２表示シート３２２は、蓄光シート３１０の他面３１０ｂ側に積層され、所定の表示内容を有している。第２表示シート３２２は、表示シート２０と同様に構成されている。
第２表示シート３２２は、一面３２２ａ、および一面３２２ａとは反対側の他面３２２ｂを有している。第２表示シート３２２の一面３２２ａは蓄光シート３１０の他面３１０ｂと対向しており、第２表示シート３２２の一面３２２ａと蓄光シート３１０の他面３１０ｂとが接着層３１２により接着されている。
【００５９】
第２パネル３３２は、第２表示シート３２２の他面３２２ｂ側に積層され、透明部材にて構成される板状部材である。第２パネル３３２は、一面３３２ａ、および一面３３２ａとは反対側の他面３３２ｂを有している。第２パネル３３２の一面３３２ａには、第２表示シート３２２の他面３２２ｂが密着している。第２パネル３３２の一面３３２ａおよび他面３３２ｂは、全体的に平坦面に形成されている。第２パネル３３２は、例えばアクリル樹脂等の透明な樹脂部材にて構成されている。
【００６０】
第２パネル３３２は、透明部材にて構成されているが、完全な透明である必要ではなく、光が透過可能であれば、半透明であったり、着色がなされていたりしてもよい。つまり、第２パネル３３２を構成する透明部材は、完全な透明部材のみならず、光が透過可能な半透明部材および着色部材をも含むものである。
【００６１】
蓄光シート３１０、第１表示シート３２１、第２表示シート３２２、第１パネル３３１、および第２パネル３３２は同じ大きさに形成されており、蓄光シート３１０、第１表示シート３２１、第２表示シート３２２、第１パネル３３１、および第２パネル３３２外周縁部は互いに面一となるように配置されている。つまり、蓄光シート３１０の外周縁部は表示パネル３０１の小口において視認することが可能である。
【００６２】
このように構成される表示パネル３０１においては、第１表示シート３２１が有する所定の表示内容を、透明部材にて構成される第１パネル３３１を介して視認することができる。また、第２表示シート３２２が有する所定の表示内容を、透明部材にて構成される第２パネル３３２を介して視認することができる。
この場合、発光する蓄光シート３１０は面光源として作用し、蓄光シート３１０からの光が第１表示シート３２１を他面３２１ｂ側から照らすとともに、第２表示シート３２２を一面３２２ａ側から照らし、第１表示シート３２１および第２表示シート３２２がそれぞれ有する所定の表示内容が幻想的に浮かび上がることとなる。これにより、視認される表示内容に趣きを付加することができる。
【００６３】
また、蓄光シート３１０は、紫外線領域の光が照射されることにより、電力を用いることなく自然に発光することができるため、使用に際する経済的負担を軽減できるとともに、電力不足の解消を促進することが可能となっている。
さらに、蓄光シート３１０が発する燐光は、ぼんやりとした明る過ぎない光であるため、人や動物に対する光害を軽減することが可能である。
【００６４】
表示パネル３０１においては、第１パネル３３１の一面３３１ａ側、および第２パネル３３２の他面３３２ｂ側の両側から、それぞれ第１表示シート３２１の表示内容および第２表示シート３２２の表示内容を視認することができ、表示内容を広範囲にわたって認識することができる。
【００６５】
さらに、表示パネル３０１においては、蓄光シート３１０の外周縁部が表示パネル３０１の小口において視認可能であるため、表示パネル３０１の小口から蓄光シート３１０の燐光を視認することができる。
これにより、表示パネル３０１の存在を、第１パネル３３１側および第２パネル３３２側からだけでなく、表示パネル３０１の小口からも容易に認識することが可能となっている。
【００６６】
表示パネル３０１は、次のようにして製造することができる。
まず、蓄光シート３１０の一面３１０ａ側に形成される接着層３１１に第１表示シート３２１を接着するとともに、蓄光シート３１０の他面３１０ｂ側に形成される接着層３１１に第２表示シート３２２を接着する。
次に、第１表示シート３２１および第２表示シート３２２が接着された蓄光シート３１０を、蓄光シート３１０の第１表示シート３２１側および第２表示シート３２２側に空間が形成されるように成形型の中に封入する。
【００６７】
さらに、成形型内における第１表示シート３２１側の空間および第２表示シート３２２側の空間に液体状のアクリル樹脂等の樹脂部材を充填し、充填した樹脂部材を硬化させる。充填した樹脂部材が硬化することにより第１パネル３３１および第２パネル３３２が形成される。成形型内に液体状の樹脂部材を充填して硬化させる場合には、液体状の樹脂部材は蓄光シート３１０の充填孔３１３内にも充填された状態で硬化し、蓄光シート３１０、第１表示シート３２１、第２表示シート３２２、第１パネル３３１、および第２パネル３３２が一体的に成形される。
【００６８】
樹脂部材が硬化することにより形成された第１パネル３３１および第２パネル３３２を、蓄光シート３１０、第１表示シート３２１、および第２表示シート３２２とともに成形型から取り出す。取り出した第１パネル３３１および第２パネル３３２の表面に磨き処理を施して、硬化した樹脂部材表面の透明度を向上させる。これにより、表示パネル３０１が製造される。
【００６９】
このように、表示パネル３０１は、蓄光シート３１０の一面３１０ａ側に第１表示シート３２１を接着するとともに、蓄光シート３１０の他面３１０ｂ側に第２表示シート３２２を接着する工程と、第１表示シート３２１および第２表示シート３２２が接着された蓄光シート３１０を、蓄光シート３１０の第１表示シート３２１側および第２表示シート３２２側に空間が形成されるように成形型の中に封入する工程と、成形型内における第１表示シート３２１側の空間および第２表示シート３２２側の空間に液体状のアクリル樹脂等の樹脂部材を充填する工程と、成形型内に充填した樹脂部材を硬化させる工程と、樹脂部材が硬化することにより形成された第１パネル３３１および第２パネル３３２を、蓄光シート３１０、第１表示シート３２１、および第２表示シート３２２とともに成形型から取り出す工程と、取り出した第１パネル３３１および第２パネル３３２の表面に磨き処理を施す工程とを行うことにより製造することができる。
これにより、第１パネル３３１側および第２パネル３３２側の両側において、所定の表示内容を幻想的に浮かび上がらせ、視認される表示内容に趣きを付加することが可能な表示パネル３０１を製造することができる。
【００７０】
なお、本実施形態においては、第１パネル３３１の一面３３１ａおよび第２パネル３３２の他面３３２ｂは全体的に平坦面に形成されているが、パネル１３０の一面１３０ａの場合と同様に、第１パネル３３１における一面３３１ａの外周部、および第２パネル３３２における他面３３２ｂの外周部の少なくとも一方にテーパ面を形成することもできる。
この場合、第１パネル３３１の一面３３１ａ、および第２パネル３３２の他面３３２ｂに形成されるテーパ面は、内周側から外周側へ向かうにつれて第１パネル３３１および第２パネル３３２を構成する透明部材の厚みが薄くなるように傾斜したテーパ面である。
このようにテーパ面を形成した場合、テーパ面を形成した第１パネル３３１および第２パネル３３２を介して視認した表示内容の見え方を、第１パネル３３１および第２パネル３３２の領域に応じて変化させることができ、表示パネル３０１の魅力を高めることが可能となる。
【００７１】
また、本実施形態においては、蓄光シート３１０は全体的に均一な燐光輝度を有しているが、蓄光シート３１０の外周部に配置される外周領域と、この外周領域よりも内周側に配置される内周領域とで、異なる燐光輝度を有するように構成することもできる。この場合、例えば蓄光シート３１０の外周領域が、蓄光シート３１０の内周領域よりも大きな燐光輝度を有するように構成することができる。また、蓄光シート３１０の内周領域が、蓄光シート３１０の外周領域よりも大きな燐光輝度を有するように構成することもできる。
このように構成することで、表示パネル３０１における第１表示シート３２１および第２表示シート３２２の表示内容を、領域に応じてメリハリをつけた状態でより魅力的に表示することが可能となる。
【００７２】
また、第１パネル３３１および第２パネル３３２のテーパ面が形成される領域の位置を、蓄光シート３１０における外周領域の位置と合わせることで、第１パネル３３１および第２パネル３３２のテーパ面が形成される領域とテーパ面が形成されていない領域とにおける表示内容の見え方に、よりメリハリを付けることができ、表示内容をより魅力的に表示することが可能となる。
【符号の説明】
【００７３】
１    表示パネル
１０    蓄光シート
１０ａ  一面
１０ｂ  他面
２０    表示シート
２０ａ  一面
２０ｂ  他面
３０    パネル
３０ａ  一面
３０ｂ  他面
４０    貼着樹脂シート
４０ａ  一面
４０ｂ  他面
１１０    蓄光シート
１１０ａ  一面
１１０ｂ  他面
１１０Ａ  内周領域
１１０Ｂ  外周領域
１３０    パネル
１３０ａ  一面
１３０ｂ  他面
１３０Ａ  平坦部
１３０Ｂ  テーパ部
３０１    表示パネル
３１０    蓄光シート
３１０ａ  一面
３１０ｂ  他面
３２１    第１表示シート
３２１ａ  一面
３２１ｂ  他面
３２２    第２表示シート
３２２ａ  一面
３２２ｂ  他面
３３１    第１パネル
３３１ａ  一面
３３１ｂ  他面
３３２    第２パネル
３３２ａ  一面
３３２ｂ  他面
【図１】
0003219047.tif 000003
【図２】
0003219047.tif 000004
【図３】
0003219047.tif 000005
【図４】
0003219047.tif 000006
【図５】
0003219047.tif 000007
【図６】
0003219047.tif 000008
【図７】
0003219047.tif 000009
【図８】
0003219047.tif 000010
【図９】
0003219047.tif 000011
【図１０】
0003219047.tif 000012
【図１１】
0003219047.tif 000013